(57)【特許請求の範囲】
【請求項１】
脚部材の上部側面の支軸に回動部材の中間部分を回動自在に取り付け、回動部材の一端に天板を固定し、他端側には細長の軸孔を形成し、この軸孔に沿って上記支軸を移動可能に配置し、かつ上記支軸を弾性部材によって軸孔の端部に向けて押圧するとともに、
上記脚部材には、上記天板が水平状態のときに上記弾性部材により押し出された回動部材の上記他端に嵌合する嵌合部と、上記嵌合部に嵌合された回動部材の上記他端を上記弾性部材の弾発力に抗して押し戻して上記嵌合部との嵌合状態を解除する解除手段と、この解除手段により押し戻された状態の回動部材の上記他端の移動を上記天板が垂直方向に回動するときに案内する弯曲面を有する駒部材と
を設けたことを特徴とする机等における天板の回動構造。
【発明の詳細な説明】
【０００１】
【発明の属する技術分野】
本発明は机等における天板の回動構造、詳しくは不使用時に天板が邪魔にならないように回動させて垂直方向に位置させておくことができる机等における天板の回動構造に関する。
【０００２】
【従来の技術】
ホテルの宴会場や会社の会議室に配置し使用される多数の机は、不使用時にはなるべく邪魔にならないように前記宴会場や会議室の隅の方に集められて置かれていたり、或いはこのようにして集められた前記机を上方に積んだりすることもなされていた。
【０００３】
【発明が解決しようとする課題】
然し乍ら、このような机にあっては天板が回動しない構造のために、不使用時に宴会場や会議室の隅の方に集められて置かれたときに広い場所が必要であり、また、机を積む場合は危険性が常にともないあまり好ましい方法ではない等の問題点があった。
【０００４】
本発明は上記問題点を解決し、特に不使用時に邪魔になるようなこともなく、また、広い保管場所を取らないで隅の方に並べて置くことができる机等における天板の回動構造を提案することをその課題とする。
【０００５】
【課題を解決するための手段】
前記課題を解決するための手段として、本発明に係る机等における天板の回動構造は、脚部材の上部側面の支軸に回動部材の中間部分を回動自在に取り付け、回動部材の一端に天板を固定し、他端側には細長の軸孔を形成し、この軸孔に沿って上記支軸を移動可能に配置し、かつ上記支軸を弾性部材によって軸孔の端部に向けて押圧するとともに、上記脚部材には、上記天板が水平状態のときに上記弾性部材により押し出された回動部材の上記他端に嵌合する嵌合部と、上記嵌合部に嵌合された回動部材の上記他端を上記弾性部材の弾発力に抗して押し戻して上記嵌合部との嵌合状態を解除する解除手段と、この解除手段により押し戻された状態の回動部材の上記他端の移動を上記天板が垂直方向に回動するときに案内する弯曲面を有する駒部材と
を設けたことを特徴とする。
【０００６】
【発明の実施の形態】
以下、図面によって本発明の実施の形態の一例について説明する。
【０００７】
図１において、符号１は本発明に係る机等における天板の回動構造が適用された机を示し、この机１は所定間隔をもって配置された一対の脚部材２と、この脚部材２に回動手段３を介して水平方向から垂直方向に可逆的に回動状態に取り付けられた天板４とによって主に構成されている。
【０００８】
一対の脚部材２は中空の金属製で側面視略Ｌ状を有するとともに、その内側面の上部近傍と略中央とに渡架された金属製の連杆５、６の両端が前記一対の脚部部材２の内側面に溶着され連結されている。
【０００９】
各脚部材２の上部には回動手段３が水平方向から垂直方向に可逆的に回動するように設けられるとともに、前記回動手段３は図３乃至図５に示すようにベース部材７と、このベース部材７に対し水平方向から垂直方向に回動するように支軸８を介して軸支された回動部材９とによって形成されている。
【００１０】
ベース部材７は図４及び図５に示すように中空で側面視方形状を有するとともに、その内部上方の左寄り隅には略三角状の駒部材１１が固定されている。そして、前記駒部材１１は上辺先端と側辺先端とを結ぶ弯曲面１２が形成されている。また、前記ベース部材７は下面の略中央から右側面の略中央に亘ってＬ字状の開口部１３が形成され、左側面の下方には後述する回動部材９の後部９ｂが嵌脱可能な嵌合部（抑止部）１４が形成され、前記右側面の上部には軸孔１５が形成されている。そして、前記ベース部材７は一対の脚部材２の上部の内側面に固定されている。
【００１１】
次に、ベース部材７内に支軸８を介して回動自在に軸支された回動部材９は図４及び図５に示すように側面視略Ｌ字状に形成され、その前部９ａは前記ベース部材７に設けた開口部１３から突出されている。そして、前記回動部材９の前部９ａの上部は天板４の裏面に取り付けた長尺板１６に固定され、これによって、前記天板４が回動部材９に固定支持されている。また、前記回動部材９はベース部材７内に位置される部位の略中央から後部にかけて前記支軸８が挿通される横長の軸孔１８が形成されるとともに、この軸孔１８の一側には前記ベース部材７の後部から螺子１９が螺合されている。
【００１２】
なお、この螺子１９を螺着、螺脱すことで軸孔１８内に後述するコイルスプリングからなる弾性部材２０を収納したり、或いは前記軸孔１８内から取り出したりすることができる。また、必要に応じて弾発力の異なる弾性部材２０と交換することができる。
【００１３】
回動部材９に設けられた横長の軸孔１８に収納されたコイルスプリングからなる弾性部材２０の一端は前記軸孔１８内に挿通されている支軸８の周面に他端は軸孔１８の端部（螺子１９側）に当接されている。そして、前記回動部材９は弾性部材２０の弾発力によって常に後部方向に付勢され、この付勢力によって回動部材９が図４に示すように横方向に位置されたときに、ベース部材７に設けられた嵌合部（抑止部）１４に前記回動部材９の後部９ｂが嵌合するように設けられている。なお、このときに回動部材９の前部９ａの裏面に突設されている軸部材２２はベース部材７に設けられた軸孔１５に挿嵌されている。
【００１４】
次に、図３、図６及び図７に示すように回動手段３の側部にはブレーキ手段２５が配設されるとともに、このブレーキ手段２５は前記回動手段３のベース部材７の側面に一側が固定された筒状部材２６と、一部がこの筒状部材２６内から突出されるように配置され、且つ前記筒状部材２６の周方向に形成された開口部２７の範囲で回動するように設けられた回動杆２８と、この回動杆２８の後部両側に配置された皿バネ３３とにより形成されている。
【００１５】
回動杆２８の後部と、この回動杆２８の後部両側に配置された皿バネ３３とは筒状部材２６内において回動手段３の回動部材９と同じ支軸８によって軸支されるとともに、この支軸８の先端は前記筒状部材２６の他側から突出されナット２９が螺合されている。また、前記回動杆２８の前部の長手方向には長孔３０が形成されるとともに、この長孔３０には前記回動部材９の前部９ａの下部の一側に突設された係合軸３５が遊挿されている。
【００１６】
外側に位置されている皿バネ３３とナット２９との間にはこのナット２９の締め具合いにより前記皿バネ３３を回動杆２８の側面に節度を以て当接させることができる押え付け部材３４が介在されるとともに、この押え付け部材３４は筒状部材２６の他側に設けた開口２６ａに遊嵌されている。これによって、回動部材９とともに回動杆２８の回動を自由に調整することができる。
【００１７】
次に、回動手段３の後部の各脚部材２の上部には解除手段３７が設けられるとともに、前記解除手段３７は図３に示すように前記脚部材２間に渡架された棒状部材３８と、脚部材２の外側に位置され且つ前記棒状部材３８の両端に固定された操作部材３９と、前記棒状部材３８の両側付近の上部に設けられた上端が球状の押圧部材４０とによって形成されている。そして、図４に示すように前記回動手段３のベース部材７に設けられた嵌合部（抑止部）１４に回動部材９の後部９ｂが嵌合された状態において前記解除手段３７の押圧部材４０で回動部材９の後部９ｂを押圧することで嵌合状態を解除し図５に示すように前記回動部材９を回動させ天板４を水平方向から垂直方向に移行させることができる。
【００１８】
なお、操作部材３９はバネ部材を介して常に垂直方向に復帰するように設けるようにしてもよい。
【００１９】
机等における天板の回動構造が適用された机１は上述のように構成されているので、その使用にあたっては、まず、図１及び図４に示すように天板４が水平の状態において、解除手段３７の操作部材３９を回転させて棒状部材３８の両側付近の上部に固定された押圧部材４０で回動手段３の回動部材９の後部９ｂを押圧し前記回動部材９の後部９ｂをベース部材７に設けられた嵌合部（抑止部）１４から離嵌させることによって、図５に示すように回動部材９を支軸８を支点に回動させるのと同時に、前記回動部材９に前部９ａに固定されている天板４を水平方向から略垂直方向に回転させることができる。
【００２０】
次に、図２及び図５に示すように略垂直方向に倒れている天板４に触れて水平方向に起こすことによって、回動手段３の回動部材９の後部９ｂがこの回動部材９に設けられた横長の軸孔１８に収納されたコイルスプリングからなる弾性部材２０の弾発力によってベース部材７に設けられた嵌合部（抑止部）１４に嵌合され前記天板４の水平状態が保持される。
【００２１】
上述のように天板の回動構造が適用された机１によれば、不使用時には天板４を略垂直状態に回動させておくことができるので、これによって、宴会場や会議室等において広い場所を取らずに隅の方に邪魔にならずに並べて置くことができる。
【００２２】
また、天板４が水平状態のときにこの天板４が固定されている回動手段３の回動部材９の後部９ｂがこの回動部材９に設けられた横長の軸孔１８に収納されたコイルスプリングからなる弾性部材２０の弾発力によって後方に付勢されベース部材７に設けられた嵌合部（抑止部）１４に嵌合されているので、これによって、天板４の回動を確実に抑止することができ安全性に優れている。
【００２３】
さらに、天板４を略垂直状態に回動させるときには、解除手段３７の操作部材３９を回転させて棒状部材３８の両側付近の上部に固定された押圧部材４０で回動手段３の回動部材９の後部９ｂを押圧するだけで簡単に行うことができる。
【００２４】
さらにまた、天板４を略垂直状態に回動時に回動手段３に連係されているブレーキ手段２５によってその回動を節度を以て行うことができ、安全性に優れている。
【００２５】
【発明の効果】
前記構成のように、本発明に係る机等における天板の回動構造によれば、不使用時に天板を水平状態から略垂直状態に回動させることができるので、これによって、宴会場や会議室等の隅の方に広い場所を取らずに並べて置くことができる。
【００２６】
また、天板の回動構造も簡単であるから誰にでも行うことができるのに加え、外観体裁を損なうようなこともない。
【図面の簡単な説明】
【図１】本発明に係る机等における天板の回動構造が適用された机の斜視図
【図２】図１に示す机の天板を略垂直状態に回動させた状態の斜視図
【図３】前記机における天板の回動構造を示す一部省略した状態の要部説明図
【図４】天板の水平状態を示す要部拡大図説明図
【図５】天板の略垂直状態を示す要部拡大図説明図
【図６】回動手段とブレーキ手段との関係を示す説明図
【図７】図６に示す回動手段とブレーキ手段との縦断面図
【符号の説明】
２  脚部材
３  回動手段
４  天板
１４  嵌合部（抑止部）
３７  解除手段
【図１】
0003658244.tif 000002
【図２】
0003658244.tif 000003
【図３】
0003658244.tif 000004
【図４】
0003658244.tif 000005
【図５】
0003658244.tif 000006
【図６】
0003658244.tif 000007
【図７】
0003658244.tif 000008